【手続補正書】
【提出日】平成28年6月22日(2016.6.22)
【手続補正１】
【補正対象書類名】特許請求の範囲
【補正対象項目名】全文
【補正方法】変更
【補正の内容】
【特許請求の範囲】
【請求項１】
印刷ヘッドと、
画像データが展開されるバッファーメモリーと、
端末に接続される通信インターフェースと、
固定画像データを記憶する記憶部と、
前記通信インターフェースを介して受信するデータに基づき第１の画像データを取得し、前記記憶部に記憶される前記固定画像データに基づき第２の画像データを取得し、前記第１の画像データと前記第２の画像データとを所定のサイズで前記バッファーメモリーに展開し、前記バッファーメモリーに展開した前記第１及び第２の画像データに基づき印刷画像データを生成し、生成された前記印刷画像データに基づき前記印刷ヘッドを制御して印刷させる制御部と、を備え、
前記制御部は、前記第１の画像データに含まれる画素数と前記第２の画像データに含まれる画素数とが異なる場合に、前記第１の画像データ及び前記第２の画像データのうち少なくとも一方の前記画像データの画素数を変換する解像度変換処理を行い、前記第１の画像データ及び前記第２の画像データを、所定の解像度で前記バッファーメモリーに展開することを特徴とする印刷装置。
【請求項２】
前記所定の解像度は前記印刷ヘッドの印刷解像度であることを特徴とする請求項１記載の印刷装置。
【請求項３】
前記第２の画像データに含まれる前記画素数は前記第１の画像データに含まれる画素数よりも多く、
前記制御部は、前記第２の画像データを背景画像として前記印刷画像データを生成すること、を特徴とする請求項１または２記載の印刷装置。
【請求項４】
前記制御部は、前記通信インターフェースを介して受信する前記データに前記第１の画像データの解像度を指定するコマンドが含まれる場合に、前記コマンドにより指定される前記解像度を前記所定の解像度として前記画像データを前記バッファーメモリーに展開すること、を特徴とする請求項１に記載の印刷装置。
【請求項５】
前記記憶部はテンプレートを記憶し、
前記制御部は、前記インターフェースを介して受信した前記データと、前記データにより指定される前記テンプレートとに基づき前記第１画像データを前記バッファーメモリーに展開することを特徴とする請求項１乃至４のいずれか一項に記載の印刷装置。
【請求項６】
画像データが展開されるバッファーメモリーと、
端末に接続する通信インターフェースと、
固定画像データを記憶する記憶部と、
前記通信インターフェースを介して受信するデータに基づき第１の画像データを取得し、前記記憶部に記憶される前記固定画像データに基づき第２の画像データを取得し、前記第１の画像データと前記第２の画像データとを所定のサイズで前記バッファーメモリーに展開し、前記所定のサイズで展開された前記第１の画像データ及び前記第２の画像データに基づき印刷画像データを生成する制御部と、を備え、
前記制御部は、前記第１の画像データに含まれる画素数と、前記第２の画像データに含まれる画素数とが異なる場合に、前記第１の画像データ及び前記第２の画像データのうち少なくとも一方の前記画像データの画素数を変換する解像度変換処理を行い、前記第１の画像データ及び前記第２の画像データを、所定の解像度で前記バッファーメモリーに展開すること、を特徴とする印刷制御装置。
【請求項７】
印刷ヘッドと、画像データが展開されるバッファーメモリーと、端末に接続する通信インターフェースと、固定画像データを記憶する記憶部と、を備えた印刷装置の制御方法であって、
前記通信インターフェースを介して受信するデータに基づき第１の画像データを取得し、
前記記憶部に記憶される前記固定画像データに基づき第２の画像データを取得し、
前記第１の画像データに含まれる画素数と、前記第２の画像データに含まれる画素数とが異なる場合に、前記第１の画像データ及び前記第２の画像データのうち少なくとも一方の前記画像データの画素数を変換する解像度変換処理を行い、
前記第１の画像データ及び前記第２の画像データを所定のサイズで前記バッファーメモリーに展開し、
前記バッファーメモリーに展開した前記第１及び第２の画像データに基づき印刷画像データを生成し、
生成された前記印刷画像データに基づき前記印刷ヘッドを制御して印刷すること、
を特徴とする印刷装置の制御方法。
【手続補正２】
【補正対象書類名】明細書
【補正対象項目名】発明の名称
【補正方法】変更
【補正の内容】
【発明の名称】印刷装置、印刷制御装置、及び、印刷装置の制御方法
【手続補正３】
【補正対象書類名】明細書
【補正対象項目名】０００１
【補正方法】変更
【補正の内容】
【０００１】
本発明は、印刷装置、印刷制御装置、及び、印刷装置の制御方法に関する。
【手続補正４】
【補正対象書類名】明細書
【補正対象項目名】０００４
【補正方法】変更
【補正の内容】
【０００４】
特許文献１記載の印刷装置は、一つの画像データに含まれる各レイヤーの画像オブジェクトを重ねて印刷するものであり、各レイヤーの解像度等を指定する情報と複数のレイヤーの重なり合いに関する情報とを必要とする。従って、画像を重ねて印刷するための制約が多いので、適用可能な画像が限定される、処理の効率化が難しい、等の問題があった。
本発明は、上述した事情に鑑みてなされたものであり、複数の画像データを容易に組み合わせて印刷することが可能な印刷装置、印刷制御装置、及び、印刷装置の制御方法を提供することを目的とする。
【手続補正５】
【補正対象書類名】明細書
【補正対象項目名】０００５
【補正方法】変更
【補正の内容】
【０００５】
上記目的を達成するために、本発明の印刷装置は、印刷ヘッドと、画像データが展開されるバッファーメモリーと、端末に接続される通信インターフェースと、固定画像データを記憶する記憶部と、前記通信インターフェースを介して受信するデータに基づき第１の画像データを取得し、前記記憶部に記憶される前記固定画像データに基づき第２の画像データを取得し、前記第１の画像データと前記第２の画像データとを所定のサイズで前記バッファーメモリーに展開し、前記バッファーメモリーに展開した前記第１及び第２の画像データに基づき印刷画像データを生成し、生成された前記印刷画像データに基づき前記印刷ヘッドを制御して印刷させる制御部と、を備え、前記制御部は、前記第１の画像データに含まれる画素数と前記第２の画像データに含まれる画素数とが異なる場合に、前記第１の画像データ及び前記第２の画像データのうち少なくとも一方の前記画像データの画素数を変換する解像度変換処理を行い、前記第１の画像データ及び前記第２の画像データを、所定の解像度で前記バッファーメモリーに展開することを特徴とする。
本発明によれば、外部から入力されるデータに基づく第１の画像データと内蔵するデータに基づく第２の画像データとが異なる画素数であっても、それぞれ、印刷時のサイズが適正なサイズとなるように展開し、合成して印刷できる。また、外部から入力されるデータに基づく第１の画像データに対する処理と、内蔵するデータに基づく第２の画像データに対する処理とを異なる条件で実行するので、画像データの展開元に合わせて異なる処理を使い分けて、速やかに処理を完了できる。そして、内蔵する画像データを利用して、外部から入力されるデータに基づく画像データを重ねて印刷することができ、この場合、入力されるデータに基づく画像データの解像度等が制限されないという利点がある。
【手続補正６】
【補正対象書類名】明細書
【補正対象項目名】０００６
【補正方法】変更
【補正の内容】
【０００６】
また、本発明は、上記印刷装置において、前記所定の解像度は前記印刷ヘッドの印刷解像度であること、を特徴とする。
本発明によれば、第１の画像データと第２の画像データとの各々について、印刷解像度と異なる解像度の画像データを印刷解像度に変換してバッファーメモリーに展開する。このため、印刷解像度と、第１及び第２の画像データの解像度とが異なっていても、印刷解像度に合わせた印刷画像データを生成して印刷できる。このため、第１及び第２の画像データの画素数（ピクセル数）や解像度と印刷解像度とが互いに制約されない。例えば、印刷解像度を高めて高品質の画像を印刷することも、印刷解像度を低くして高速化を図ることもできる。
【手続補正７】
【補正対象書類名】明細書
【補正対象項目名】０００７
【補正方法】変更
【補正の内容】
【０００７】
また、本発明は、上記印刷装置において、前記第２の画像データに含まれる前記画素数は前記第１の画像データに含まれる画素数よりも多く、前記制御部は、前記第２の画像データを背景画像として前記印刷画像データを生成すること、を特徴とする。
本発明によれば、背景画像に別の画像を重ねて合成し、印刷できる。この場合、背景画像と、背景に重ねられる画像との画素数が揃っていなくても、適正なサイズに展開して合成できる。
【手続補正８】
【補正対象書類名】明細書
【補正対象項目名】０００８
【補正方法】変更
【補正の内容】
【０００８】
また、本発明は、上記印刷装置において、前記制御部は、前記通信インターフェースを介して受信する前記データに前記第１の画像データの解像度を指定するコマンドが含まれる場合に、前記コマンドにより指定される前記解像度を前記所定の解像度として前記画像データを前記バッファーメモリーに展開すること、を特徴とする。
本発明によれば、外部から入力されるデータに基づく画像データを処理する解像度が指定された場合も、指定されない場合も、画像データを適正に展開して印刷できる。
【手続補正９】
【補正対象書類名】明細書
【補正対象項目名】０００９
【補正方法】変更
【補正の内容】
【０００９】
また、上記印刷装置において、前記記憶部はテンプレートを記憶し、前記制御部は、前記インターフェースを介して受信した前記データと、前記データにより指定される前記テンプレートとに基づき前記第１画像データを前記バッファーメモリーに展開することを特徴とする。
本発明によれば、外部から入力されるデータにより指定されるテンプレートを適用する印刷を行う場合に、当該テンプレートが第２の画像データと異なる画素数を想定したデータであっても、印刷時のサイズが適正なサイズとなるようにバッファーメモリーに展開し、合成して印刷できる。
【手続補正１０】
【補正対象書類名】明細書
【補正対象項目名】００１０
【補正方法】変更
【補正の内容】
【００１０】
また、上記目的を達成するために、本発明の印刷制御装置は、画像データが展開されるバッファーメモリーと、端末に接続する通信インターフェースと、固定画像データを記憶する記憶部と、前記通信インターフェースを介して受信するデータに基づき第１の画像データを取得し、前記記憶部に記憶される前記固定画像データに基づき第２の画像データを取得し、前記第１の画像データと前記第２の画像データとを所定のサイズで前記バッファーメモリーに展開し、前記所定のサイズで展開された前記第１の画像データ及び前記第２の画像データに基づき印刷画像データを生成する制御部と、を備え、前記制御部は、前記第１の画像データに含まれる画素数と、前記第２の画像データに含まれる画素数とが異なる場合に、前記第１の画像データ及び前記第２の画像データのうち少なくとも一方の前記画像データの画素数を変換する解像度変換処理を行い、前記第１の画像データ及び前記第２の画像データを、所定の解像度で前記バッファーメモリーに展開すること、を特徴とする。
本発明によれば、外部から入力されるデータに基づく第１の画像データと内蔵するデータに基づく第２の画像データとが異なる画素数であっても、それぞれ、印刷時のサイズが適正なサイズとなるように展開し、合成して印刷できる。また、外部から入力されるデータに基づく第１の画像データに対する処理と、内蔵するデータに基づく第２の画像データに対する処理とを異なる条件で実行するので、画像データの展開元に合わせて異なる処理を使い分けて、速やかに処理を完了できる。そして、内蔵する画像データを利用して、外部から入力されるデータに基づく画像データを重ねて印刷することができ、この場合、入力されるデータに基づく画像データの解像度等が制限されないという利点がある。
【手続補正１１】
【補正対象書類名】明細書
【補正対象項目名】００１１
【補正方法】変更
【補正の内容】
【００１１】
また、上記目的を達成するために、本発明は、印刷ヘッドと、画像データが展開されるバッファーメモリーと、端末に接続する通信インターフェースと、固定画像データを記憶する記憶部と、を備えた印刷装置の制御方法であって、前記記憶部に記憶される前記固定画像データに基づき第２の画像データを取得し、前記第１の画像データに含まれる画素数と、前記第２の画像データに含まれる画素数とが異なる場合に、前記第１の画像データ及び前記第２の画像データのうち少なくとも一方の前記画像データの画素数を変換する解像度変換処理を行い、前記第１の画像データ及び前記第２の画像データを所定のサイズで前記バッファーメモリーに展開し、前記バッファーメモリーに展開した前記第１及び第２の画像データに基づき印刷画像データを生成し、生成された前記印刷画像データに基づき前記印刷ヘッドを制御して印刷すること、を特徴とする。
本発明によれば、外部から入力されるデータに基づく第１の画像データと内蔵するデータに基づく第２の画像データとが異なる画素数であっても、それぞれ、印刷時のサイズが適正なサイズとなるように展開し、合成して印刷できる。また、外部から入力されるデータに基づく第１の画像データに対する処理と、内蔵するデータに基づく第２の画像データに対する処理とを異なる条件で実行するので、画像データの入力元に合わせて異なる処理を使い分けて、速やかに処理を完了できる。そして、内蔵する画像データを利用して、外部から入力されるデータに基づく画像データを重ねて印刷することができ、この場合、入力されるデータに基づく画像データの解像度等が制限されないという利点がある。